(57)【特許請求の範囲】
【請求項１】
遊技盤と上記遊技盤の表面を被う透過窓との間で遊技球を弾発させて遊技する弾球遊技機において、
上記遊技盤及び上記透過窓の間に配置され、少なくとも上記透過窓を圧接することで、上記遊技盤の外周部と上記透過窓の外周部との間にできる隙間を密閉する弾性体からなる隙間密閉部材を有し、
上記隙間密閉部材は、その横断面が三つの筋からなる三つ叉形状をしており、上記遊技盤の表面を上記透過窓で被うと当該三つの筋のうち二つの筋で上記透過窓にその外側寄りと内側寄りの二箇所で密着し、
上記残りの筋は、上記遊技球の遊技盤上における行き先を誘導する誘導レールに沿って配置されるレール飾りに取り付けられ、
このレール飾りは、その横断面形状がＨの字を横倒しにしたごとき形状であって、当該形状であることにより、隔壁により二分されかつ上記透過窓側に開口する内部空間を有し、
上記隙間密閉部材のうち上記透過窓に密着される二つの筋を上記空間の開口から出すとともに、上記残りの筋を前記開口の内法との間に隙間を空けて前記レール飾りの空間内に収納し、かつ前記隔壁に固定したことを特徴とする弾球遊技機。
【請求項２】
上記レール飾りの隔壁には複数の貫通孔が設けられ、上記隙間密閉部材の上記残りの筋には上記複数の貫通孔と嵌合する複数の突起部が設けられ、上記複数の貫通孔と上記複数の突起部とを嵌合することで、上記隙間密閉部材が上記遊技盤に固定されることを特徴とする請求項１記載の弾球遊技機。
【請求項３】
上記隙間密閉部材は、二分割以上に分割されていることを特徴とする請求項１又は２に記載の弾球遊技機。
【請求項４】
三つ叉形状をした上記隙間密閉部材は、その横断面形状が、上記透過窓と密着する二つの筋のうち外側寄り箇所の筋が内側寄り箇所の筋よりも上記透過窓側に長い横倒しの変形Ｙ字形とされ、上記透過窓で上記遊技盤を被うと、上記外側寄り箇所の筋が上記内側寄り箇所の筋よりも先に上記透過窓に押圧され、この押圧によって上記レール飾りに固定される上記残りの筋の前面側の一端を中心として、上記内側寄りの筋が前面側に押し出され、
上記外側寄り箇所の筋と相俟って上記透過窓を押圧することを特徴とする請求項１に記載の弾球遊技機。
【発明の詳細な説明】
【０００１】
【発明の属する技術分野】
この発明は、弾球遊技機および弾球遊技機の隙間密閉部材に関し、特に、パチンコ遊技機などの弾球遊技機の遊技盤に対して不正行為を防止して防犯効果を高めるための隙間密閉部材に適用して好適なものである。
【０００２】
【従来の技術】
従来のパチンコ遊技機などの弾球遊技機１の正面斜視図を図６に示す。図６に示すように、従来の弾球遊技機１は、縦長な方形状に枠組みによって構成され、弾球遊技機１の設置場所に強固に固定される外枠３と、この外枠３に一側を保持され、かつその外枠３に対して開閉自在に設けられた表枠４と、この表枠４の前面上部に開閉自在に設けられた窓枠５とを備え、その表枠４には弾球遊技機１を構成する主要構成部品のほぼ全てが集約されて構成されている。
【０００３】
表枠４に設けられる主要構成部品としては、盤面上が遊技領域とされる遊技盤６と、この遊技盤６、およびこの遊技盤６の裏面側に設けられ遊技盤上に遊技球（以下、パチンコ玉という）を打ち出す発射装置７と、発射装置７を操作するための操作ハンドル８と、弾球遊技機１に供給すべきパチンコ玉、およびパチンコ玉が入賞口１５，１５，１８に入り入賞した際に弾球遊技機１から払い出される賞球の一部を貯留する球受皿２と、必要に応じて所定個数の弾球を排出する弾球払出ユニット（図示せず）と各種装置を制御することで遊技状態を制御する制御装置（図示せず）とが挙げられる。
【０００４】
また、弾球遊技機１には、表枠４に対して開閉自在な窓枠５が設けられている。この窓枠５は、遊技盤６の遊技領域全体をその枠内にほぼ覗き見ることができる透過窓９を備えている。
【０００５】
また、遊技盤６は、表枠４の裏面側に一体的に形成される遊技盤６の収納枠（図示せず）に収納固定されるべく、ほぼ正方形状の合板により形成されている。その前面には、ほぼ円形状に植立され、発射装置７により打ち出されたパチンコ玉の行き先を誘導する誘導レール１３と、誘導レール１３によって囲まれた領域に設けられた釘や風車などの障害物１４と、パチンコ玉が入ることで賞球を払い出させる条件成立の契機となる入賞口１５，１５が複数設けられている。また、誘導レール１３の下側には、誘導レール１３下面を飾るためのレール飾り４２が設けられている。
【０００６】
また、遊技盤６の中央には種々の図柄および情報を遊技の進行に合わせて表示する画像表示装置１７が設けられている。画像表示装置１７の直下には、画像表示装置１７の表示内容を可変とするためのトリガーとなる、パチンコ玉を受け入れる始動入賞口（始動口）１８が設けられている。これらの入賞口１５，１５あるいは始動入賞口１８にパチンコ玉が入ると、所定数のパチンコ玉が賞球として払い出される。
【０００７】
さらに、遊技盤６の最下部には、いずれの入賞口１５，１５，１８においても入賞しないパチンコ玉が取り込まれるアウト口１６が設けられている。
【０００８】
さらに、上述した部品や装置が設けられた遊技盤６の下方には、パチンコ玉を貯留する球受皿２が設けられている。この球受皿２は、弾球遊技機１に対して一皿のみ設けられている。
【０００９】
球受皿２は、内部にパチンコ玉を貯留する貯留部１９を有し、弾球遊技機１の前面から前方に突出して設けられている。
【００１０】
また、図６における球受皿２の右側部分の底面は、発射装置７へパチンコ玉を案内する案内流路２０の入口（図１中左側）２１へ向かう穏やかな傾斜が設けられている。この傾斜の上流には、入賞時に払い出される賞球を払い出す賞球払出口２２が設けられている。
【００１１】
さらに、上記斜面の途中には、貯留されたパチンコ玉を排出する抜き穴２３が設けられている。抜き穴２３から排出されたパチンコ玉は、弾球遊技機１の外部に排出される。
【００１２】
【発明が解決しようとする課題】
ところで、窓枠５と遊技盤６との間には遊技球（パチンコ玉）が外部に流出しない程度の隙間が存在している。この隙間にはピアノ線を十分挿入可能であり、不正行為を行おうとする者が賞球払出口２２などから、上述の隙間にピアノ線などを挿入してゲージなどに不正工作を施して、入賞口に遊技球を入れ易くするような不正行為が行われる可能性があった。
【００１３】
したがって、この発明の目的は、弾球遊技機の遊技盤に対して、例えば、入賞口に遊技球が入り易くするために、窓枠と遊技盤との間にピアノ線などを挿入してゲージなどに対して不正の工作を行うなどの不正行為を未然に防止し、これによって弾球遊技機における防犯効果を向上させることができる弾球遊技機および弾球遊技機の隙間密閉部材を提供することにある。
【００１４】
【課題を解決するための手段】
上記目的を達成するために、遊技盤と上記遊技盤の表面を被う透過窓との間で遊技球を弾発させて遊技する弾球遊技機において、上記遊技盤及び上記透過窓の間に配置され、少なくとも上記透過窓を圧接することで、上記遊技盤の外周部と上記透過窓の外周部との間にできる隙間を密閉する弾性体からなる隙間密閉部材を有し、上記隙間密閉部材は、その横断面が三つの筋からなる三つ叉形状をしており、上記遊技盤の表面を上記透過窓で被うと当該三つの筋のうち二つの筋で上記透過窓にその外側寄りと内側寄りの二箇所で密着し、上記残りの筋は、上記遊技球の遊技盤上における行き先を誘導する誘導レールに沿って配置されるレール飾りに取り付けられ、このレール飾りは、その横断面形状がＨの字を横倒しにしたごとき形状であって、当該形状であることにより、隔壁により二分されかつ上記透過窓側に開口する内部空間を有し、上記隙間密閉部材のうち上記透過窓に密着される二つの筋を上記空間の開口から出すとともに、上記残りの筋を前記開口の内法との間に隙間を空けて前記レール飾りの空間内に収納し、かつ前記隔壁に固定したことを特徴とするものである。
また、上記レール飾りの隔壁には複数の貫通孔が設けられ、上記隙間密閉部材の上記残りの筋には上記複数の貫通孔と嵌合する複数の突起部が設けられ、上記複数の貫通孔と上記突起部とを嵌合することで、上記隙間密閉部材が上記遊技盤に固定されることを特徴とすることもできる。
さらに、上記隙間密閉部材は、二分割以上に分割されるようにしてもよい。  
そして、三つ叉形状をした上記隙間密閉部材は、その横断面形状が、上記透過窓と密着する二つの筋のうち外側寄り箇所の筋が内側寄り箇所の筋よりも上記透過窓側に長い横倒しの変形Ｙ字形とされ、上記透過窓で上記遊技盤を被うと、上記外側寄り箇所の筋が上記内側寄り箇所の筋よりも先に上記透過窓に押圧され、この押圧によって上記レール飾りに固定される上記残りの筋の前面側の一端を中心として、上記内側寄りの筋が前面側に押し出され、上記外側寄り箇所の筋と相俟って上記透過窓を押圧することを特徴とするものである。
【００１６】
この発明によれば、遊技機の前面に設けられた開口から、透過窓の窓枠と遊技盤との間にピアノ線などの線状部材を挿入することを防止することができる。そのため、入賞口に遊技球が入り易くするために、ピアノ線などの線状道具を用いてゲージなどに対して不正工作を施し、弾球遊技機の遊技盤に対して行われる不正行為を防止する防犯効果の向上を図ることができる。
【００２４】
【発明の実施の形態】
以下、この発明の一実施形態について図面を参照しながら説明する。なお、以下の一実施形態の全図においては、同一または対応する部分には同一の符号を付す。
【００２５】
また、この一実施形態においては、遊技機として弾球遊技機（パチンコ遊技機）を例として説明する。図１に、この一実施形態による隙間密閉部材が使用される弾球遊技機（パチンコ遊技機）の外枠が開かれた状態の正面図を示す。また、弾球遊技機の説明においては、適時、図６を参照して説明する。
【００２６】
［弾球遊技機の構造］
まず、この発明が適用される弾球遊技機について説明する。すなわち、図１に示すように、この一実施形態による弾球遊技機１は、縦長な方形状に枠組みによって構成される。また、この弾球遊技機１は、弾球遊技機１の設置場所に強固に固定される外枠３と、この外枠３に一側が保持されているとともに、この外枠３に対して開閉自在に設けられた表枠４と、表枠４の前面上部に開閉自在に設けられた窓枠（図１中、図示せず）とを備え、表枠４には、弾球遊技機１を構成する主要構成部品のほぼ全てが集約されて構成されている。
【００２７】
表枠４に設けられる主要構成部品としては、盤面上が遊技領域とされる遊技盤６と、この遊技盤６、およびこの遊技盤６の裏面側に設けられ、遊技盤６上にパチンコ球を打ち出す発射装置７と、発射装置７を操作するための操作ハンドル（図１中、図示せず）と、弾球遊技機１に供給すべきパチンコ玉、およびパチンコ玉が入賞口１５，１５，１８に入り入賞した際に弾球遊技機１から払い出される賞球の一部を貯留する球受皿と、必要に応じて所定個数の弾球を排出する弾球払出ユニットと、各種装置を制御することで遊技状態を制御する制御装置（いずれも図６参照）とを挙げることができる。
【００２８】
また、弾球遊技機１には、表枠４に対して開閉自在な窓枠５が設けられている。この窓枠５には、遊技盤６の遊技領域全体をその枠内にほぼ覗き見ることができる例えばガラス板などからなる透過窓９（図６参照）が備えられている。そして、この透過窓９の外周に沿って装飾ＬＥＤ１０、装飾ランプ１１，１１、およびスピーカー１２，１２（いずれも図６参照）などが設けられている。これらの装飾ＬＥＤ１０や装飾ランプ１１，１１は、遊技の進行状況に応じて点滅するように構成されている。また、スピーカー１２，１２は、遊技の進行状況に応じて各種効果音を発することができるように構成されている。
【００２９】
また、遊技盤６は、表枠４の裏面側に一体的に形成される遊技盤６の収納枠４１に収納固定されるべく、ほぼ正方形状の合板により形成されている。その前面には、ほぼ円形状に植立され、発射装置７により打ち出されたパチンコ玉の行き先を誘導する誘導レール１３と、この誘導レール１３によって囲まれた領域に設けられた、釘（ゲージ）や風車などの障害物１４と、パチンコ玉が入ることで賞球を払い出させる条件成立の契機となる入賞口１５，１５が複数設けられている。
【００３０】
また、遊技盤６の中央には、種々の図柄および情報を遊技の進行に合わせて表示する画像表示装置１７が設けられている。画像表示装置１７の直下には、画像表示装置１７の表示内容を可変せしめるためのトリガーとなるパチンコ玉を受け入れる始動入賞口（始動口）１８が設けられている。これらの入賞口１５，１５あるいは始動入賞口１８にパチンコ玉が入ると、所定数のパチンコ玉が賞球として払い出される。
【００３１】
さらに、遊技盤６の最下部には、いずれの入賞口１５，１５，１８に入賞しなかったパチンコ玉が取り込まれるアウト口１６が設けられている。
【００３２】
また、上述した部品や装置が設けられた遊技盤６の下方には、パチンコ玉を貯留する球受皿２（図６参照）が設けられている。この球受皿２は、弾球遊技機１に対して一皿のみ設けられており、内部にパチンコ玉を貯留する貯留部１９（図６参照）を有するとともに、弾球遊技機１前面から前方に突出されている。
【００３３】
また、球受皿２の右側部分の底面は、発射装置７へパチンコ玉を案内する案内流路２０の入口２１（図６中左側）へ向かう穏やかな傾斜が設けられている。この傾斜の上流には、入賞時に払い出される賞球を払い出す賞球払出口２２が設けられている。
【００３４】
さらに、斜面の途中には、貯留されたパチンコ玉を排出する抜き穴２３が設けられている。抜き穴２３から排出されたパチンコ玉は、弾球遊技機１の外部に排出される。
【００３５】
一方、球受皿２の左側部分の底面は、螺旋を描くような下り斜面が設けられている。この下り傾斜の上流には、現金や専用プリペードカードなどにより貸し出される貸球を供給する貸球払出口２６が設けられている。すなわち、傾斜は、パチンコ玉が整列しながら貸球払出口２６から、球受皿内部に設けられた発射装置７にパチンコ玉を案内する案内流路２０の入口２１へと流下するように形成されている。
【００３６】
また、案内流路２０の入口２１付近にも、抜き穴が設けられ、排出通路２９を介してパチンコ玉が弾球遊技機１の外部に排出される。
【００３７】
また、誘導レール１３の下部のさらに下方に、円弧状に形成されたレール飾り４２が設けられている。また、このレール飾り４２の前面側に、透過窓９の裏面および窓枠５と圧着可能な状態に、密閉部材４３が設けられている。この密閉部材４３は、例えばポリプロピレン（ＰＰ）とスチレンブタジエンゴム（ＳＢＲ）とが混合された混合ゴム材質からなり、ゴムの特性とほぼ同様の、形状変化可能な弾性を有している。また、この密閉部材４３は、例えば射出成形法により形成される。
【００３８】
以下に、この密閉部材４３の構造および作用について、図面を参照しつつ詳細に説明する。図２に、この密閉部材４３がレール飾り４２に取り付けられた状態の拡大正面図を示し、図３に、図２のＡ−Ａ線に沿った断面図を示す。
【００３９】
図２に示すように、この一実施形態による密閉部材４３は、誘導レール１３の下部の、さらに下方に設けられたレール飾り４２に沿った形状、すなわち略円弧形状に設けられている。この密閉部材４３は、レール飾り４２に対して前面に配置されるように、レール飾り４２に嵌合されて設けられている。
【００４０】
このように、密閉部材４３をレール飾り４２に対して前面に配置していることにより、透過窓９を閉じたときに、この透過窓９およびこれを保持する窓枠５との間に密閉部材４３が挟み込まれ、窓枠５とレール飾り４２との間の隙間を密閉することができる。
【００４１】
また、この一実施形態による密閉部材４３は、２つの密閉部材４３ａ，４３ｂから構成される。これは、この一実施形態による弾球遊技機１の構造において、レール飾り４２の部分に不可避の分割部分が存在するためである。このように、弾球遊技機１の構造によって、密閉部材４３を種々分割された複数の密閉部材から構成するようにしてもよく、また、弾球遊技機１の構造に応じて、密閉部材４３を分割させずに一体に構成することも可能である。
【００４２】
次に、この密閉部材４３がレール飾り４２に取り付けられる際の構造について図３を参照しつつ説明する。
【００４３】
すなわち、図３に示すように、レール飾り４２には、部分的に貫通孔４２ａが形成されている。他方、密閉部材４３には、このレール飾り４２の貫通孔４２ａと鏡像関係の位置に、貫通孔４２ａに嵌合可能で、レール飾り４２に固定可能な突起部４３ｃが設けられている。そして、この密閉部材４３の、遊技盤６の面に垂直な方向に沿った断面は、ほぼＹ字形状を有する。
【００４４】
ここで、レール飾り４２の貫通孔４２ａが、ほぼ円形状に貫通されて形成されている場合、突起部４３ｃは、この円形状の貫通孔４２ａに貫通可能な、円柱形状の部分を有する。そして、突起部４３ｃが、主に円柱形状の部分と、嵌合する側の一端がほぼ円錐台形状の部分とから形成されている場合、円柱形状の部分は、レール飾り４２の貫通孔４２ａに嵌合可能な太さと長さとを有し、一方、貫通孔４２ａに固定させるための円錐台形状の部分の径は、貫通孔４２ａから容易に離脱しないように、少なくとも貫通孔４２ａの径より大きくなるようにする。
【００４５】
また、レール飾り４２の貫通孔４２ａが、レール飾り４２の形状に近い円弧形状に形成されているとともに、突起部４３ｃが図３に示す断面形状を有して密閉部材４３の長手方向に沿って連続的に構成されている場合、レール飾り４２の貫通孔４２ａは、密閉部材４３の突起部４３ｃを嵌合可能に構成される。
【００４６】
以上のようにして、密閉部材４３がレール飾り４２に取り付けられ、透過窓９および窓枠５を閉じた状態を、図４に示す。
【００４７】
図４に示すように、窓枠５および透過窓９を閉じたとき、まず、密閉部材４３におけるＹ字形状の部分の下部が押圧される。そして、この押圧によって、突起部４３ｃの前面側の一端を中心として、密閉部材４３の上部が前面側にやや押し出される。
【００４８】
これにより、密閉部材４３の上部および下部が、レール飾り４２との間で透過窓９および窓枠５に圧接して圧着する。そして、レール飾り４２の前面側と透過窓９および窓枠５の裏面との間の隙間が、密閉部材４３により密閉される。
【００４９】
このようにレール飾り４２の前面側と透過窓９および窓枠５の裏面との間の隙間が密閉された状態で、弾球遊技機１の外部から、弾球遊技機１の前面に設けられた様々な開口を通じて遊技盤６の部分にピアノ線などの線状道具が挿入されたときの状態を図５に示す。
【００５０】
図５に示すように、ピアノ線などの線状道具５０は、窓枠５の外周外側（図５中、下方）から侵入させることが多い。この場合、この発明による密閉部材４３が、窓枠５および透過窓９の裏面とレール飾り４２との隙間を密閉していることにより、ピアノ線などの線状道具５０は、密閉部材４３の下部に突き当たり、さらに上方、すなわち遊技盤６と透過窓９との間の空間への侵入が困難になる。そのため、弾球遊技機１の外部から遊技盤６上のゲージなどに不正工作を行うことを防止することができ、防犯効果を向上させることができる。
【００５１】
また、ピアノ線などの線状道具５０により密閉部材４３の下部を押し上げて、線状道具５０を、部分的に密閉部材４３と窓枠５および透過窓９との間に侵入させる可能性も考えられる。ところが、密閉部材４３の上部が窓枠５および透過窓９との間で密着しているため、線状道具５０は密閉部材４３の上部に突き当たる。これにより、線状道具５０を、遊技盤６と透過窓９との間の空間に侵入させることが非常に困難になり、防犯効果をより向上させることができる。
【００５２】
さらに、万が一、線状道具５０により密閉部材４３の上部を突き上げて遊技盤６と透過窓９との間の空間に侵入させたとしても、この線状道具５０は、密閉部材４３、具体的には、窓枠５および透過窓９と密着している密閉部材４３の上部および下部によって、透過窓９に押しつけられる。そのため、この線状道具５０は透過窓９における遊技盤６側の面に密着された状態になる。これにより、線状道具５０を遊技盤６上のゲージまで移動させることは、ほとんど不可能になり、ゲージなどに不正工作を行うことがより困難になる。したがって、防犯効果をより一層向上させることが可能となる。
【００５３】
このように、線状道具５０の透過窓９および遊技盤６の間の空間への侵入を、３段階で防止していることにより、実際に不正工作を実行することは、極めて困難である。そのため、線状道具５０を用いた不正行為の実行に対する抑制効果も働くため、線状道具５０を用いた不正行為の防犯効果を確実に得ることができる。
【００５４】
以上、この発明の一実施形態について具体的に説明したが、この発明は、上述の一実施形態に限定されるものではなく、この発明の技術的思想に基づく各種の変形が可能である。
【００５５】
例えば、上述の実施形態において挙げた密閉部材の材料はあくまでも例に過ぎず、必要に応じてこれと異なる材料を用いてもよい。具体的には、上述の一実施形態においては、密閉部材４３の材料として、ポリプロピレン（ＰＰ）とスチレンブタジエンゴム（ＳＢＲ）との混合ゴム材質を用いているが、変形可能で弾性を有する材料として、例えば、１成分型や２成分型のシリコーンゴム（縮合型液状シリコーンゴムや、液状シリコーンゴムなど）、有機ゴム、フッ素ゴム、クロロプレンゴム（ＣＲ）、アクリル・ブタジエンゴム、アクリルゴム、ブタジエンゴム（ＢＲ）、エピクロルヒドリンゴム（ＣＨＲ）、エチレン・プロピレンゴム（ＥＰＤＭ、ＥＰＭ）、プチルゴム（イソプチレン・イソプレンラバー、ＩＩＲ）、イソプレンゴム（ＩＲ）、ニトリルゴム（ニトリル・ブタジエンラバー、ＮＢＲ）、ニトリル・クロロプレンゴム（ＮＣＲ）、アクリロニトリル・イソプレンゴム（ＮＩＲ）、天然ゴム（ＮＲ）、スチレン・クロロプレンゴム（ＳＣＲ）、ポリサルファイドゴム、スチレン・イソプレンゴム（ＳＩＲ）、ウレタンゴム（Ｕ）、ビニルピリジンゴム（ＶＰ）などを用いることが可能である。
【００５６】
また、例えば上述の一実施形態においては、不正行為である不正工作に使用される線状道具５０として、ピアノ線を例として挙げたが、言うまでもなく、弾球遊技機１の外部から、レール飾り４２と透過窓９との間の隙間を通じて、遊技盤６に設けられたゲージなどに対して不正工作を行う可能性のあるその他の線状の道具を挙げることができる。具体的には、ピアノ線以外にも、針金、銅線、鎖（チェーン）、凧糸や生糸などの糸なども例として挙げることができる。
【００５７】
また、例えば上述の一実施形態においては、密閉部材４３を２つの密閉部材４３ａ，４３ｂから構成するようにしたが、３つ以上の密閉部材から構成するようにしてもよく、他方、密閉部材４３を一体に形成してもよい。
【００５８】
また、例えば上述の一実施形態においては、密閉部材４３を射出成形法により形成しているが、その他の公知の方法により形成されたものを用いることも可能である。
【００５９】
【発明の効果】
この発明によれば、遊技盤の外周部に遊技盤と透過窓の窓枠とをともに圧接し、遊技盤と窓枠の隙間を密閉していることにより、弾球遊技機の遊技盤に対してピアノ線などの線状道具を用いた不正行為（窓枠と遊技盤との間にピアノ線などを挿入してゲージなどを不正工作し、入賞口に遊技球が入り易くする行為）を防止する防犯効果を高めることができる。
【図面の簡単な説明】
【図１】この発明の一実施形態による弾球遊技機の球受皿台を開いた状態での正面図である。
【図２】この発明の一実施形態による遊技盤のうちの密閉部材が取り付けられた部分を示す正面図である。
【図３】この発明の一実施形態による密閉部材が密接される前の取り付け状態の拡大断面図である。
【図４】この発明の一実施形態による密閉部材が窓枠に密着した状態の拡大断面図である。
【図５】この発明の一実施形態による密閉部材の窓枠に密着しピアノ線が挿入された状態を示す拡大断面図である。
【図６】従来の弾球遊技機を示す斜視図である。
【符号の説明】
１…弾球遊技機
２…球受皿
３…外枠
４…表枠
５…窓枠
６…遊技盤
７…発射装置
８…操作ハンドル
９…透過窓
１０…装飾ＬＥＤ
１１…装飾ランプ
１２…スピーカー
１３…誘導レール
１４…障害物
１５…入賞口
１６…アウト口
１７…画像表示装置
１８…始動入賞口
１９…貯留部
２０…案内流路
２１…入口
２２…賞球払出口
２３…抜き穴
２６…貸球払出口
２９…排出通路
４１…収納枠
４２…レール飾り
４２ａ…貫通孔
４３，４３ａ，４３ｂ…密閉部材
４３ｃ…突起部
５０…線状道具
【図１】
0003940296.tif 000002
【図２】
0003940296.tif 000003
【図３】
0003940296.tif 000004
【図４】
0003940296.tif 000005
【図５】
0003940296.tif 000006
【図６】
0003940296.tif 000007